(57)【特許請求の範囲】
【請求項１】
表面および裏面が横長の長方形状で、厚みがこの長方形の高さに等しいかそれ以下である直方体状のＰＣ基礎梁部材（１）において、このＰＣ基礎梁部材（１）の上下底面に平行して所定のかぶり厚だけ隔てて埋め込まれた水平鉄筋（11）を備えるとともに、前記ＰＣ基礎梁部材（１）の水平方向端面中央に鉛直方向に設けられた縦溝（17）の両側部分の前記水平鉄筋（11）位置を中心とする高さ方向に、このＰＣ基礎梁部材（１）表面および裏面側に薄い隔壁（19）を残してこの隔壁（19）の内側に窪み部（18）を形成したことを特徴とするＰＣ基礎梁部材。
【請求項２】
請求項１に記載のＰＣ基礎梁部材（１）を長手方向中央位置で左右に２分割した分割ＰＣ基礎梁部材複数個を、前記分割位置で互いに直角方向に接続してなるＰＣ基礎梁部材。
【請求項３】
ＰＣ基礎梁部材（１）の底部に、埋め込みナット（23）を埋め込んでなる請求項１または２に記載のＰＣ基礎梁部材。
【請求項４】
ＰＣ基礎梁部材（１）の側面に、埋め込みナット（24）を埋め込んでなる請求項１ないし３のいずれかに記載のＰＣ基礎梁部材。
【請求項５】
ＰＣ基礎梁部材（１）の表面および裏面下部に水平方向に水平溝（22）を有する請求項１ないし４のいずれかに記載のＰＣ基礎梁部材。
【請求項６】
ＰＣ基礎梁部材（１）の上面に、これよりやや高い段丘部（1a）を設けてなる請求項１ないし５のいずれかに記載のＰＣ基礎梁部材。
【請求項７】
前記水平鉄筋（11）の両端に継手（12、13）を取り付けるとともに、水平方向端面で接続するＰＣ基礎梁部材の表面側あるいは裏面側いずれかの前記隔壁を切り欠いて接続部分に開口を形成し、この開口から前記継手にピンを打ち込むことを特徴とする請求項１ないし６のいずれかに記載のＰＣ基礎梁部材の接続方法。
【請求項８】
長手方向中央に嵌入溝（31）が形成され、その両側にこれに対して垂直に水平ボルト（32）を前記嵌入溝（31）に向けて設けた礎版（３）を、根切りした地盤の底面に配置し、請求項１ないし６のいずれかに記載のＰＣ基礎梁部材（１）を前記嵌入溝（31）内に縦姿勢で敷設し、前記水平ボルト（32）により礎版（３）と結合して逆Ｔ字形布基礎を形成することを特徴とするコンクリート製布基礎の施工方法。
【請求項９】
地盤を根切りして、その底面に仮受け部材を配置し、この仮受け部材で請求項１ないし６のいずれかに記載のＰＣ基礎梁部材を打設しようとするべた基礎の厚みに相当する高さに仮受けしたままべた基礎のコンクリートを打設し、ＰＣ基礎梁部材とべた基礎とを一体に結合して逆Ｔ字形布基礎を形成するコンクリート製布基礎の施工方法。
【請求項１０】
前記仮受け部材が、下部プレートと、この下部プレートに取り付けられ上部プレートを支持する脚と、この上部プレートを貫通して上方へ突出するアンカーボルトとからなるものである請求項９に記載のコンクリート製布基礎の施工方法。
【請求項１１】
前記仮受け部材が、下部プレートと、この下部プレートの上面に頭部を接合したアンカーボルトと、このアンカーボルトにねじこまれたナットと、このナットの上面に接合された上部プレートとからなるものである請求項９に記載のコンクリート製布基礎の施工方法。
【請求項１２】
地盤を根切りして、その底面に１対のＬ形断面のＰＣ側壁を底面フランジを向かい合わせにして平行に、かつ長手方向に隣接させながら水平に敷設し、この相対するＰＣ側壁の内側にこれを横断する方向に下部梯子形鉄筋を適当な間隔で配置して両側のＰＣ側壁に接続する一方、この下部梯子形鉄筋の中央付近に請求項１ないし６のいずれかに記載のＰＣ基礎梁部材を長手方向に接続させながら縦姿勢に立設し、前記ＰＣ側壁の内面にコンクリートを打設し、打設したコンクリートと前記ＰＣ基礎梁部材とＰＣ側壁とを一体に結合して逆Ｔ字形布基礎を形成するすることを特徴とするコンクリート製布基礎の施工方法。
【発明の詳細な説明】
【０００１】
【発明の属する技術分野】
本発明は、地盤上に水平方向に連続して敷設した基礎コンクリート上に立設して住宅、事務所等の建築物の布基礎を構築する工場生産による直方体状のプレキャストコンクリート基礎梁部材（以下ＰＣ基礎梁部材という）、およびコンクリート製布基礎の施工方法に関する。
【０００２】
【従来の技術】
近年、住宅、事務所等の建築物の布基礎構造の基礎部分に、工場生産によるＰＣ基礎梁部材を使用して場所打ちコンクリートを極力少なくし、工事期間を短縮するとともに部材の信頼性を高めたＰＣ基礎梁構造が広く採用されている。
一例として、特開昭48-32309号公報に記載のＰＣ基礎梁部材による布基礎を図28、29に示す。図28はこの布基礎の斜視図、図29は横断方向断面図で、１は直方体状のＰＣ基礎梁部材、３はプレキャストコンクリート製の礎版、Ｓは砂である。この布基礎は、まず地盤を根切りして底面に砂Ｓを水平に敷き均し、その上に礎版３を長手方向に隣接させながら水平に敷設し、その上面の幅方向中央付近に直方体状のＰＣ基礎梁部材１を縦姿勢に配設し、G.L.で示す線まで土を埋め戻して構成される。
【０００３】
隣接するＰＣ基礎梁部材相互の結合手段としては、ＰＣ基礎梁部材内に上下底面に平行して所定のかぶり厚だけ隔てて埋め込まれた引張り用の水平鉄筋の両端にピン孔を有する継手を設け、これにピンを打ち込んで接合するのが一般的である。
従来のＰＣ基礎梁部材の一例を図30、31により説明する。図30はＰＣ基礎梁部材の正面図、図31は同じく平面図である。ＰＣ基礎梁部材１には上下２段に水平鉄筋11およびこれらを連結するあばら筋などの配筋が埋め込まれ、水平鉄筋11の両端にピン孔を有する継手12、13が取り付けられている。継手12、13はＰＣ基礎梁部材１の水平方向端面中央に鉛直方向に設けられた縦溝17から突出しており、一方の継手12はピン孔を有する鋼板が２枚に分かれた受け手、他方の継手13は同様の形状の鋼板１枚でなる差し手となっており、継手12の２枚の鋼板の中間に継手13が挿入された状態でピン孔にピンを挿通することにより隣接するＰＣ基礎梁部材が連結される。
【０００４】
接合構造の一例を図32により説明する。この図は隣接するＰＣ基礎梁部材１、１、の接合部分を水平方向に切断して示す部分断面図である。図32において上側を建築物基礎における外面、下側を内面とすれば、接続部隙間25は通常 2ｍｍ程度となるように施工される。ＰＣ基礎梁部材１のピンを打ち込む側（通常内側）の両端部分上下位置は、ピン打ち込みのために切り欠き面20により切り欠かれており、両側の切り欠き面20により接続部隙間25よりも広い開口が形成される。この開口から、継手12、13のピン孔にピン14を打ち込む。
【０００５】
ピン14を打ち込んだ後、必要によって反対側の接続部隙間25に接着テープ等で目張りをし、ピン14には止め板15をかぶせてナット16で固定し、接続部空間内にモルタル（図示せず）を充填する。
このように、接続部分に連結のためのピンを打ち込む作業があるので、従来のＰＣ基礎梁部材には片面の４隅に切り欠きがあり、反対側の面にはそれがない。したがってＰＣ基礎梁部材を配置するに際しては切り欠きのある側がピンの打ち込み側となるように注意する必要がある。
【０００６】
ところで図33に示すように、ＰＣ基礎梁部材にはこれまでに説明した（ａ）の直線状のもののほか、（ｂ）に示すＬ字形、（ｃ）に示すＴ字形、（ｄ）に示す十字形などさまざまな平面形状のものが必要である。ＰＣ基礎梁部材自体に内面側、外面側が決まっていると、例えばコーナー部に使用する（ｂ）のＬ字形のものの場合、そのコーナーがいわゆる入り隅か外隅かでピンの打ち込み側が逆になるから、それに合ったものを使用しなければならないが、前記したように継手にも差し手、受け手の区別があり、これらを考慮すると一見類似のものでも細部の異なる多くの種類のＰＣ基礎梁部材を準備し、かつそれらを間違いなく配置していかなければならないという問題点があった。
【０００７】
【発明が解決しようとする課題】
本発明の第１に目的とするところは、製造段階におけるＰＣ基礎梁部材の形状を統一して種類を減らし、製造コストを切り下げるとともに施工を容易にすることである。
また、このようなＰＣ基礎梁部材による布基礎は、従来の場所打ちコンクリートのみによるものと比較して品質の信頼性や施工性等においてすぐれているが、コスト的に割高となったり、施工現場が重量トラックの進入できない場所である等の事情により採用できないことがある。このような場合に鑑み、ＰＣ材の利点を生かしつつ部材を軽量化して現地施工のコンクリートを併用する布基礎の設置方法を実現することを第２の目的とする。
【０００８】
【課題を解決するための手段】
本発明のＰＣ基礎梁部材は、表面および裏面が横長の長方形状で、厚みがこの長方形の高さに等しいかそれ以下である直方体状のＰＣ基礎梁部材において、このＰＣ基礎梁部材の上下底面に平行して所定のかぶり厚だけ隔てて埋め込まれた水平鉄筋を備えるとともに、前記ＰＣ基礎梁部材の水平方向端面中央に鉛直方向に設けられた縦溝の両側部分の前記水平鉄筋位置を中心とする高さ方向に、このＰＣ基礎梁部材表面および裏面側に薄い隔壁を残してこの隔壁の内側に窪み部を形成したことを特徴とし、あるいは、このＰＣ基礎梁部材を長手方向中央位置で左右に２分割した分割ＰＣ基礎梁部材複数個を、前記分割位置で互いに直角方向に接続してなるものであり、望ましくはＰＣ基礎梁部材の底部あるいは側面に、埋め込みナットを埋め込んでなり、あるいはＰＣ基礎梁部材の表面および裏面下部に水平方向に水平溝を有するか、またＰＣ基礎梁部材の上面に、これよりやや高い段丘部を設けてなる前記ＰＣ基礎梁部材である。
【０００９】
また本発明のＰＣ基礎梁部材の接続方法は、前記水平鉄筋の両端に継手を取り付けるとともに、水平方向端面で接続するＰＣ基礎梁部材の表面側あるいは裏面側いずれかの前記隔壁を切り欠いて接続部分に開口を形成し、この開口から前記継手にピンを打ち込むことを特徴とする。
さらに本発明のコンクリート製布基礎の施工方法は、長手方向中央に嵌入溝が形成され、その両側にこれに対して垂直に水平ボルトを前記嵌入溝に向けて設けた礎版を、根切りした地盤の底面に配置し、前記のＰＣ基礎梁部材を前記嵌入溝内に縦姿勢で敷設し、前記水平ボルトにより礎版と結合して逆Ｔ字形布基礎を形成することを特徴とするものであり、あるいは、地盤を根切りして、その底面に仮受け部材を配置し、この仮受け部材で前記のＰＣ基礎梁部材を打設しようとするべた基礎の厚みに相当する高さに仮受けしたままべた基礎のコンクリートを打設し、ＰＣ基礎梁部材とべた基礎とを一体に結合して逆Ｔ字形布基礎を形成することを特徴とするものである。
【００１０】
なお、前記仮受け部材は、下部プレートと、この下部プレートに取り付けられ上部プレートを支持する脚と、この上部プレートを貫通して上方へ突出するアンカーボルトとからなるもの、あるいは下部プレートと、この下部プレートの上面に頭部を接合したアンカーボルトと、このアンカーボルトにねじこまれたナットと、このナットの上面に接合された上部プレートとからなるものであるのが好ましい。
【００１１】
【発明の実施の形態】
本発明のＰＣ基礎梁部材は、長方形状のＰＣ基礎梁部材の上下底面に平行して所定のかぶり厚だけ隔てて埋め込まれた水平鉄筋を備えるとともに、このＰＣ基礎梁部材の水平方向端面中央に鉛直方向に設けられた縦溝の両側部分の前記水平鉄筋位置を中心とする高さ方向に、このＰＣ基礎梁部材表面および裏面側に薄い隔壁を残してその内側に窪み部を形成してあるので、ＰＣ基礎梁部材は製造段階では原則として同一形状であり、布基礎を施工するに当たってはＰＣ基礎梁部材を種類や向きを考慮することなく配置でき、接続に際してピンを打ち込む位置についてのみ前記の薄い隔壁を切り欠いて開口を形成するようにした。
【００１２】
また、このＰＣ基礎梁部材を用いて断面逆Ｔ字形の布基礎を施工する場合、工場生産によるＰＣ礎版を敷設してそれに載置する方法、ＰＣ基礎梁部材を所定の高さに仮受けしてコンクリートを打設し、べた基礎と一体化する方法、あるいはまた工場生産によるＰＣ側壁を捨て型枠として布基礎を形成する方法などがあるが、いずれもＰＣ部材を多用するため寸法出し等の作業が極めて能率的で、かつ型枠ばらし等の作業も不要で外観もよく、型枠用木材等の使用量が削減されるので省資源にも寄与するばかりでなく、現地におけるコンクリート打設量を最小限としているから、信頼性が高く、工期が短縮できるなどの利点がある。
【００１３】
【実施例】
以下本発明の実施例を、図面により詳細に説明する。
〔実施例１〕
まず本発明のＰＣ基礎梁部材の１実施例を説明する。図１は本発明のＰＣ基礎梁部材の一実施例を一部断面で示す正面図、図２は同じく平面図で、１はＰＣ基礎梁部材、11はその内部に埋め込まれた水平鉄筋、17はＰＣ基礎梁部材１の水平方向両端面中央に鉛直方向に設けられた縦溝、23はＰＣ基礎梁部材１の下面に埋め込まれた例えばＭ12の埋め込みナット、24は同じくＰＣ基礎梁部材１の側面に埋め込まれた埋め込みナットである。これらの役割については追って説明するが、埋め込みナット23は下面の幅方向中央で長手方向中央に１か所ないしその両脇を加えて３か所程度、埋め込みナット24は片側あるいは両側側面の高さ方向略中央に長手方向に200 ないし300 ｍｍピッチで複数箇所設けるのがよい。
【００１４】
図１に示すＰＣ基礎梁部材１は直線部分の基礎に使用するもので、長方形状の表面および裏面と、この長方形の高さに等しいかそれ以下の厚みを有する直方体状で、寸法例を示せば図１における左右の長さが 900ｍｍあるいは1800ｍｍ、上下の高さが 600ｍｍ、厚みが 120ｍｍあるいは 150ｍｍである。
このＰＣ基礎梁部材１の上下底面に平行して所定のかぶり厚だけ隔てて埋め込まれた水平鉄筋の両端は前記ＰＣ基礎梁部材の水平方向端面中央に鉛直方向に設けられた縦溝内に突出しており、施工に際してこの両側部分に継手12、13をねじ込み等により取り付ける。継手12、13はさきに図30ないし図32で説明したものと同様に一方が受け手、他方が差し手であるが、ＰＣ基礎梁部材に予め取り付けられておらず、施工の際に取り付けるので、ＰＣ基礎梁部材はこの点についても方向性がなく、施工が容易である。後に説明する図６に示すように、水平鉄筋11の両端部分には捨てナット11a が取り付けてあり、これがちょうど埋め込まれる位置に位置決めしておく。
【００１５】
図３は図１に符号Ａで示すＰＣ基礎梁部材１の継手高さの水平方向端部を示す部分拡大図、図４は同じく図２に符号Ｂで示すＰＣ基礎梁部材１の水平方向端部の部分拡大図である。すなわち図４に見るとおり、ＰＣ基礎梁部材１の外表面は表面側、裏面側とも端部一杯まで伸びているが、水平鉄筋11の位置を中心とする高さ方向に、表面および裏面側に薄い隔壁19を残してこの隔壁のすぐ内側（縦溝17寄りの側）に窪み部18が形成されている。この形状は厚み方向に対称、すなわち表面側、裏面側とも同様であるから、施工に際してどちら側を表に向けるかを考慮せずにＰＣ基礎梁部材１を配置できる。設置後、ピンを打ち込む側についてのみ、図４に破線で示す切り欠き面20に沿ってハンマ等でコンクリートを割って開口を形成し、片面に開口のある従来のＰＣ基礎梁部材と同様の形状とし、この開口から継手に向けてピンを打ち込むのである。図５は手前側の隔壁19を切り欠き面20に沿って除去した状態で示す同じ部分の斜視図（但し継手は図示せず）である。
【００１６】
ピンを打ち込んで接合した状態を図６により説明する。さきに説明した図32と同様、この図は隣接するＰＣ基礎梁部材１、１、の接合部分を水平方向に切断して示す部分断面図である。図において上側を建築物基礎における外側、下側を内側とする。接続部隙間25は前記したように通常 2ｍｍ程度である。ＰＣ基礎梁部材１の隔壁19は、前記したようにピンを打ち込む位置で切り欠き面20により切り欠かれ、両側の切り欠き面20により広い開口が形成されている。この開口から、継手12、13のピン孔にピン14を打ち込む。ピン14を打ち込んだ後、止め板15をかぶせてナット16で固定し、接続部空間内にモルタル（図示せず）を充填する。
【００１７】
このように本発明のＰＣ基礎梁部材は裏表（内面側、外面側）の相違がなく厚み方向に対称の形状に製造するので、製造の際のコンクリートの型枠ならびに製品の種類が少なくて済むのが最大の利点である。そして、施工途中においてピンを打ち込む側の隔壁を切り欠いて開口を形成する。したがって隔壁は容易に割ることのできる程度の厚みであることが望ましく、たとえば本体寄りの厚い側で 8ｍｍ、端面寄りの薄い側で 6ｍｍ程度とする。この厚みであれば、コンクリート打設の際にも隔壁の内部に大きな骨材が進入しないので、切り欠くことがいっそう容易である。
【００１８】
窪み部18、隔壁19の形状は図３ないし図５に示すものに限定されるわけではない。他の形状の１例を図７に示す。図７は、図５に相当する部分を示す部分斜視図で、窪み部18はピン打ち込みに十分な寸法、例えば半径15ｍｍの半円形断面となっており、隔壁19の厚みは例えば 3ｍｍである。窪み部18の位置は、いうまでもなく水平鉄筋11の高さである。
【００１９】
図８はこのＰＣ基礎梁部材１の表面を示す正面図で、21は表面に形成される模様溝、22は表面下部に水平方向に形成される水平溝である。ＰＣ基礎梁部材１は継手12、13を取り付けた状態を示してある。
模様溝21はこのＰＣ基礎梁部材１が建築物の基礎部分として見える状態のまま残るものであるから美観のため設けたものでこの例では縦溝であるが、縦溝に限らず斜め溝や波形などどのようなものでも構わない。そして本発明のＰＣ基礎梁部材１は製造段階ではどちら側が外側に使用されるかわからないから、模様溝21も両面に設けるのがよい。
【００２０】
水平溝22の役割については追って説明する。
図９は、ＰＣ基礎梁部材１の上面に、これよりやや高い段丘部1aを設けた例を示す正面図である。例えばこの図においてＰＣ基礎梁部材１の左右方向の長さ約910 ｍｍに対して中央部分約440 ｍｍにわたって高さ20ｍｍの段丘部1aを設けるようにする。図10はこれを連続して敷設した施工例を示す正面図である。この基礎上に上部構造Ｈを設置した場合、それぞれのＰＣ基礎梁部材１の段丘部1aによって基礎梁上方に空間Ｄが形成され、通風口となる。従来、同様の目的で段丘部1aに相当するかませものを挿入していたのに比較すると施工性がよく、またアンカーボルトＦ等との取り合い寸法も正確になるなどの利点がある。
〔実施例２〕
つづいて、本発明のコンクリート製布基礎の施工方法の実施例について説明する。
【００２１】
まず、さきに説明した従来の技術と同様に礎版を使用する場合の実施例を、図11ないし13により説明する。ＰＣ基礎梁部材は従来のように水平に敷設した礎版上に単に載置するのみでも、自重ならびにその上部に構築される建築物の重量による摩擦力によって安定しているが、地震等の大きな水平力やモーメント、浮き上がり等が予想される場合にはこれでは不十分であり、礎版に対して強固に固定する構造が好ましい。そこでＰＣ基礎梁部材には、図８に示したように表面下部に水平方向に水平溝22を形成する。一方、例えば図11に示すように、礎版３の長手方向中央の嵌入溝31の両側にこれに対して垂直に水平ボルト32を配置し、その先端を前記のＰＣ基礎梁部材の水平溝22と係合させてＰＣ基礎梁部材を固定すればよい。
【００２２】
あるいは図12、13に示すように、礎版３の長手方向中央の嵌入溝31の両側にこれと平行して突出部33を設けてこの内面に水平溝34を形成し、ＰＣ基礎梁部材１の水平溝22との間にコッタ35を打ち込んだりモルタルを充填してＰＣ基礎梁部材を固定することもできる。ＰＣ基礎梁部材１の水平溝22は、このように布基礎下部との結合手段により必要に応じて設けるものである。
〔実施例３〕
現地の地形等により、掘削して礎版を敷設するよりもコンクリートを打設して「べた基礎」とする方が有利な場合がある。この場合の基礎とＰＣ基礎梁部材１の結合構造について説明する。
【００２３】
図14はこの実施例の布基礎を示す断面図で、地盤を根切りしてその底面に必要に応じてコンクリート板等の敷板Ｌを敷き、その上に仮受け金物４を置いて打設するべた基礎の厚みに相当する高さにＰＣ基礎梁部材１を仮受けしておいてべた基礎のコンクリートＣを打設するのである。ＰＣ基礎梁部材１に水平溝22が設けてあれば、コンクリートＣが食い込むので結合が強化される。
【００２４】
図15は仮受け金物４の一例を示す正面図である。頭部に下部プレート41を接合し、胴部に直角方向に水平筋44を取り付けたボルト45をねじ部を上向きにし、上面に上部プレート42を接合したナット46をねじ込んで構成される。一方、ＰＣ基礎梁部材１の下面には埋め込みナット23が埋め込まれている。埋め込みナット23は長ナットを使用し、アンカー筋でＰＣ基礎梁部材１に強固に接合することが望ましい。
【００２５】
仮受け金物４のねじ部をこの埋め込みナット23にねじ込んでＰＣ基礎梁部材１と結合する。水平筋44をハンドルにしてボルト45を回転させれば、仮受け状態でもＰＣ基礎梁部材１の高さを調整することができる。コンクリート打設後、仮受け金物４はコンクリート中に埋め殺しとなり、そのままＰＣ基礎梁部材１をべた基礎と結合する結合手段となる。水平筋44はボルト45と直角方向の配筋となり、さらに他の配筋を支持するのにも利用できる。
【００２６】
仮受けの際、水平方向に順次ＰＣ基礎梁部材１を連結して行けば、ＰＣ基礎梁部材に対して仮受け金物はそれぞれ１個でもよいが、少なくとも最初に配置する１個については仮受け金物は２個取り付けた方がよい。このためＰＣ基礎梁部材の下面に埋め込む埋め込みナット23の数は３個とし、中央１個または両脇２個を使用するようにするのがよい。これら埋め込みナット23はＰＣ基礎梁部材を運搬する際の吊りボルト孔としても利用できるから、べた基礎でない現場に使用するＰＣ基礎梁部材にも一応設けておくと便利である。
【００２７】
なお、図16に示すように、高さを一定としたコンクリート製等のブロックＭでＰＣ基礎梁部材１の接合部を支持するようにすれば、仮受け金物４は頭部が敷板から浮いた状態とし、べた基礎との結合金物としてのみ使用することも可能である。
図17は仮受け金物４の他の例を示す斜視図である。下部プレート41の上方に脚43を介して上部プレート42が配置され、これら２枚の鋼板の距離をべた基礎の厚みにしてある。脚43の中間高さに水平筋44が取り付けられ、また上部プレート42の下側からこれを貫通して上方に向けてボルト45が取り付けられ、そのねじ部がＰＣ基礎梁部材１の埋め込みナット23にねじ込まれる。
【００２８】
べた基礎とする場合の変形例を図18により説明する。地形によって、基礎部分の内側と外側で根切りするレベルを変えた方が有利な場合がある。図18の例では基礎梁に向かって右側を浅く根切りしている。このようなときは浅い側のべた基礎にはＰＣ基礎梁部材１の側面に埋め込んだ埋め込みナット24を利用してこれに差し筋8aをねじ込み、鉄筋8bを接続して配筋することができる。
〔実施例４〕
図19は本発明の第４の実施例の布基礎を示す横断方向断面図で、後に説明する図25におけるＺＺ断面に相当する。これまでに説明したものについては同じ符号を使用している。５はＰＣ側壁、６は下部梯子形鉄筋、８はこの下部梯子形鉄筋６を結んで配置される長手鉄筋である。
【００２９】
長手方向に連続する布基礎の例で説明すると、地盤を根切りしてその底面に１対のＬ形断面のＰＣ側壁５を底面フランジを向かい合わせにして平行に、長手方向に隣接させながら水平に敷設し、これを横断する方向に下部梯子形鉄筋６を適当な間隔で配置して両側のＰＣ側壁に接続させ、この下部梯子形鉄筋６の略中央部に直方体状のＰＣ基礎梁部材１を縦姿勢に立設する。ＰＣ基礎梁部材１は、例えば図６で示したようなピン継手により長手方向に接続する。ＰＣ基礎梁部材１の底面には埋め込みナット23を埋め込んであるので、これにボルト45をねじ込み、下部梯子形鉄筋６上に載置して下部のＰＣ側壁５の内面にコンクリートＣを打設し、ＰＣ基礎梁部材１と、打設したコンクリートＣと、ＰＣ側壁５とを一体に結合して、逆Ｔ字形布基礎を形成する。
【００３０】
図20はＰＣ側壁５の平面図、図21は正面図、図22（ａ）は図21のＸＸ矢視による断面図、同じく（ｂ）は図21のＹＹ矢視による断面図で、51は底面フランジ、52は縦フランジで、底面フランジ51の延びる方向を内面とする。53は縦フランジ52から底面フランジ51上へ突出した突出部、54は突出部先端縦方向に２か所設けられた丸孔、55a は縦フランジ52内面に水平方向に設けられたコッタ溝、55b は突出部53の側面に縦方向に設けられたコッタ溝、56は縦フランジの上端部に設けられた薄肉部である。
【００３１】
ＰＣ側壁５は底面フランジ51と縦フランジ52によりＬ字形に構成され、縦フランジ52の内面には適宜底面フランジ51上部一杯までの突出部53が形成されている。突出部53の先端面には縦方向に２か所の丸孔54が設けてあり、この中に下部梯子形鉄筋６の両端が挿入される。コッタ溝55a 、55b はいずれもコンクリートが注入された際の付着を強化するためのものである。薄肉部56は、直角方向の布基礎と接続する場合等に簡単に除去することができるように設けてある。注入コンクリートとＰＣ側壁とが一体になってしまえば、薄肉による強度低下のおそれは全くない。
【００３２】
ＰＣ側壁５の寸法はこの布基礎が支持する構造物のモジュールや荷重等により適宜決定すればよいが、一例を示せば、ＰＣ側壁５の長さが 910ｍｍ、底面フランジ11の幅90ｍｍ、厚み25ｍｍ、縦フランジ52の高さ 150ｍｍ、厚み30ｍｍで、長手方向中間にピッチ 228ｍｍで４か所の突出部13が設けられている。
図23は下部梯子形鉄筋６の正面図で、61は上弦材、62は下弦材、63はこれらを複数箇所で上下に連結する連結筋、64は長さ中央付近に同じく上弦材61、下弦材62を結んで縦に取り付けられるパイプ部材で、この中に前記のボルト45が挿入される。
【００３３】
寸法例を示すと、各鉄筋には異形棒鋼Ｄ10を使用し、上弦材61、下弦材62の長さは 330ｍｍ、間隔は60ｍｍ、中央のパイプ部材64には黒管（配管用炭素鋼鋼管）呼び径10ｍｍのものを使用する。組み立てはスポット溶接である。両端15ｍｍがＰＣ側壁５の突出部53に挿入されるとすれば、１対のＰＣ側壁５の内側間隔は 300ｍｍとなる。連結筋63のうち１対のものを型枠の内側あるいは外側になるように配置して位置決めに利用する。このため、頭部をやや突出させる。
【００３４】
図24は、下部梯子形鉄筋６の端部とＰＣ側壁５の突出部53との接続部分を示す部分断面図で、（ａ）はこれまで説明した図19ないし23に対応するものである。（ｂ）はその変形例で、下部梯子形鉄筋６の上弦材61、下弦材62のうち少なくとも一方、この図では上弦材61をＰＣ側壁５を突き抜ける長さにするとともに先端にねじを設け、外側からナット65をねじ込むことによりＰＣ側壁５の間隔を調整できるようにしたものである。
【００３５】
図25は、この実施例においてコンクリートを打設する前の状態を示す平面図である。ＰＣ基礎梁部材１の底部はＰＣ側壁５上面よりもやや下がった高さにあるが、この図ではＰＣ基礎梁部材１がたまたまＴ字状に接続されているので、支障となるＰＣ側壁５の上縁部分については図22（ｂ）に示した薄肉部56を切り欠いてある。
【００３６】
なお、以上の実施例１ないし４においてＰＣ基礎梁部材を直方体状のもの、すなわちさきの図33における（ａ）に相当するもので説明したが、このＰＣ基礎梁部材を長手方向中央で左右に２分割した分割ＰＣ基礎梁部材を複数個、前記分割位置で互いに直角方向に接続した形状、すなわち図33における（ｂ）以下のそれぞれの平面形状のものについても特徴部分である端部の形状についてはすべて同様であるから、これらに本発明が実施できることはいうまでもなく、また前記したように、入り隅、外隅のいずれにおいても同じものを使用できるから、種類を削減できる効果においてはこれらの方がさらに大きい。
〔実施例５〕
これまでの各実施例と異なり、ＰＣ基礎梁部材を使用しない施工例について説明する。図26は本発明の第５の実施例の布基礎を示す横断方向断面図である。これまでの説明と共通するものについては同一符号を使用したほか、７は下部梯子形鉄筋６の中央付近に立設される丸鋼製の支柱、９は支柱７に支持される長手方向でかつ鉛直姿勢の上部梯子形鉄筋、Ｐは下部梯子形鉄筋６の上面に所定の間隔を隔てて上部梯子形鉄筋の両側にこれと平行に立設される一対の型枠である。
【００３７】
地盤を根切りしてその底面に１対のＰＣ側壁５を長手方向に隣接させながら水平方向に敷設し、これを横断する方向に下部梯子形鉄筋６を適当な間隔で配置するところまでは、第４の実施例と全く同様である。
つぎに、下部梯子形鉄筋６の略中央に支柱７を立設してこの支柱７で支持させて上部梯子形鉄筋９を鉛直姿勢で連続して取り付ける。
【００３８】
図27はこの段階における布基礎の斜視図である。つづいて１対の型枠Ｐを同様に長手方向に隣接させながら上部梯子形鉄筋９と平行に立設し、１対の型枠Ｐの内側にコンクリートＣを注入する。なお特に図示しないが、上部梯子形鉄筋９から上方に向けて適宜アンカーボルト等を植え込んでおくとよい。コンクリートＣは型枠Ｐの内面を通ってさらに下部に流れ、１対のＰＣ側壁５の内面に充填されてこれと一体に結合して、下部の水平部分に対しては下部梯子形鉄筋６および長手鉄筋８、上部立ち上がり部分に対しては上部梯子形鉄筋９を補強鉄筋とする逆Ｔ字形のＲＣ構造の布基礎が形成される。
【００３９】
図26に示したように、下部梯子形鉄筋６の連結筋63のうち１対のものを型枠の内側あるいは外側になるように配置して位置決めに利用すると好都合である。このためには、頭部をやや突出させるとよい。
支柱７、長手鉄筋８、上部梯子形鉄筋９についてはあらためて図示しないが、市販の棒鋼等を適宜組み合わせて使用する。呼び径10ｍｍのパイプ部材64にはたとえば外径12ｍｍの丸鋼がよい。なお、長手方向に上部梯子形鉄筋９を接続させれば、この実施例では下部の長手鉄筋８は使用しなくてもよい。
【００４０】
型枠Ｐの間隔は例えば 120ｍｍまたは 150ｍｍである。
なお、本実施例の布基礎も長手方向に連続する直線状のもののみではなく、このような直線状のものを直角方向に適宜組み合わせることにより、コーナー部分や十字部分を含むあらゆる基礎構造を実現することができるのは、いうまでもない。
【００４１】
【発明の効果】
本発明によれば、ＰＣ基礎梁部材の端面形状を統一して種類を減らすことにより、製造コストが切下げられるとともに施工に際して向きを考慮して配置する必要がなくなり能率が向上するなどのすぐれた効果を奏する。
また、本発明によれば、搬入する部材の単重が減少して大型トラックの進入できない住宅地等における作業性が向上する上、ＰＣ材の利点を生かしながら現地施工のコンクリートを最小限に併用することで低コストをはかり、かつ信頼性の高い布基礎を実現することができるという、すぐれた効果を奏する。
【図面の簡単な説明】
【図１】本発明のＰＣ基礎梁部材の一実施例を一部断面で示す正面図である。
【図２】本発明のＰＣ基礎梁部材の一実施例を示す平面図である。
【図３】図１のＡ部を示す部分拡大正面図である。
【図４】図１のＢ部を示す部分拡大平面図である。
【図５】図３、４と同じ部分を示す部分斜視図である。
【図６】本発明のＰＣ基礎梁部材の接合部を示す部分断面図である。
【図７】変形例について図５と同じ部分を示す部分斜視図である。
【図８】本発明のＰＣ基礎梁部材の表面を示す正面図である。
【図９】本発明のＰＣ基礎梁部材の変形例を示す正面図である。
【図１０】図９に示したＰＣ基礎梁部材を使用した施工例を示す正面図である。
【図１１】本発明の布基礎に使用する礎版の一例を示す平面図である。
【図１２】本発明の布基礎に使用する礎版の他の例を示す斜視図である。
【図１３】図12に示した礎版の使用状態を示す部分断面図である。
【図１４】本発明の第３の実施例の布基礎を示す横断方向断面図である。
【図１５】本発明に使用する仮受け金物を示す正面図である。
【図１６】本発明の仮受け金物の変形使用例を示す正面図である。
【図１７】本発明に使用する仮受け金物の他の例を示す斜視図である。
【図１８】本発明の第３の実施例の布基礎の変形例を示す横断方向断面図である。
【図１９】本発明の第４の実施例の布基礎を示す横断方向断面図である。
【図２０】本発明の実施例におけるＰＣ側壁を示す平面図である。
【図２１】本発明の実施例におけるＰＣ側壁を示す正面図である。
【図２２】図21におけるＸＸ矢視およびＹＹ矢視によるＰＣ側壁の断面図である。
【図２３】本発明の第５の実施例における下部梯子形鉄筋を示す正面図である。
【図２４】本発明の実施例におけるＰＣ側壁と下部梯子形鉄筋との接続部分を示す部分断面図である。
【図２５】本発明の第４の実施例の布基礎の中間段階を示す平面図である。
【図２６】本発明の第５の実施例の布基礎を示す横断方向断面図である。
【図２７】本発明の第５の実施例の布基礎の中間段階を示す斜視図である。
【図２８】従来の技術を示す布基礎の斜視図である。
【図２９】図27に示す布基礎の断面図である。
【図３０】従来のＰＣ基礎梁部材の一例を示す正面図である。
【図３１】従来のＰＣ基礎梁部材の一例を示す平面図である。
【図３２】従来のＰＣ基礎梁部材の接合部の一例を示す断面図である。
【図３３】従来のＰＣ基礎梁部材の形状を示す平面図である。
【符号の説明】
１    ＰＣ基礎梁部材
1a    段丘部
３    礎版
４    仮受け金物
５    ＰＣ側壁
６    下部梯子形鉄筋
７    支柱
８    長手鉄筋
8a    差し筋
8b    鉄筋
９    上部梯子形鉄筋
11    水平鉄筋
11a   捨てナット
12    受手（継手）
13    差手（継手）
14    ピン
15    止め板
16    ナット
17    縦溝
18    窪み部
19    隔壁
20    切り欠き面
21    模様溝
22    水平溝
23、24    埋め込みナット
25    接続部隙間
31    嵌入溝
32    水平ボルト
33    突出部
34    水平溝
35    コッタ
41    下部プレート
42    上部プレート
43    脚
44    水平筋
45    ボルト
51    底面フランジ
52    縦フランジ
53    突出部
54    丸孔
55    コッタ溝
56    薄肉部
61    上弦材
62    下弦材
63    連結筋
64    パイプ部材
65    ナット
Ｃ    コンクリート
Ｄ    空間
Ｈ    上部構造
Ｌ    敷板
Ｍ    ブロック
Ｐ    型枠
Ｓ    砂
【図１】
0003683419.tif 000002
【図２】
0003683419.tif 000003
【図３】
0003683419.tif 000004
【図４】
0003683419.tif 000005
【図５】
0003683419.tif 000006
【図６】
0003683419.tif 000007
【図７】
0003683419.tif 000008
【図８】
0003683419.tif 000009
【図９】
0003683419.tif 000010
【図１０】
0003683419.tif 000011
【図１１】
0003683419.tif 000012
【図１２】
0003683419.tif 000013
【図１３】
0003683419.tif 000014
【図１４】
0003683419.tif 000015
【図１５】
0003683419.tif 000016
【図１６】
0003683419.tif 000017
【図１７】
0003683419.tif 000018
【図１８】
0003683419.tif 000019
【図１９】
0003683419.tif 000020
【図２０】
0003683419.tif 000021
【図２１】
0003683419.tif 000022
【図２２】
0003683419.tif 000023
【図２３】
0003683419.tif 000024
【図２４】
0003683419.tif 000025
【図２５】
0003683419.tif 000026
【図２６】
0003683419.tif 000027
【図２７】
0003683419.tif 000028
【図２８】
0003683419.tif 000029
【図２９】
0003683419.tif 000030
【図３０】
0003683419.tif 000031
【図３１】
0003683419.tif 000032
【図３２】
0003683419.tif 000033
【図３３】
0003683419.tif 000034